(57)【特許請求の範囲】
【請求項１】
ネットワークを利用したコミュニケーションが可能なコミュニケーション部と、
コンテンツの視聴中にコミュニケーション着信があるか判断する着信判断部と、
着信判断部にて着信があると判断した場合にコミュニケーションを開始するか否かの決定結果を取得する決定結果取得部と、
視聴中のコンテンツの終了時間を含む属性情報である第一属性情報を取得する第一属性取得部と、
取得した第一属性情報を用いてコミュニケーション相手側に対して告知情報を送信可能な第一告知部と、
コンテンツの視聴予約を受け付ける視聴予約受付部と、
視聴予約されたコンテンツの開始時間と終了時間を含む属性情報である第二属性情報を取得する第二属性取得部と、
前記着信判断部にて着信があると判断した場合で、前記視聴予約受付部にてコンテンツの視聴予約がされている場合に、前記第一属性情報及び前記第二属性情報を用いてコミュニケーション相手側に対して告知情報を送信可能な第二告知部と、
を有するコンテンツ再生装置。
【請求項２】
前記着信判断部にて着信があると判断した場合に、前記第一属性情報を用いてコミュニケーションを開始するか否かの決定結果を出力する第一決定部をさらに有する請求項１に記載のコンテンツ再生装置。
【請求項３】
前記着信判断部にて着信があると判断した場合に、コミュニケーション相手側の属性情報である相手側属性情報を取得する相手側属性取得部と、
取得した相手側属性情報を用いてコミュニケーションを開始するか否かの決定結果を出力する第二決定部と、
をさらに有する請求項１または請求項２に記載のコンテンツ再生装置。
【請求項４】
コンテンツの視聴中にネットワークを利用したコミュニケーション着信があるか判断する着信判断ステップと、
着信判断ステップにて着信があると判断した場合にコミュニケーションを開始するか否かの決定結果を取得する決定結果取得ステップと、
視聴中のコンテンツの終了時間を含む属性情報である第一属性情報を取得する第一属性取得ステップと、
取得した第一属性情報を用いてコミュニケーション相手側に対して告知情報を送信する第一告知ステップと、
コンテンツの視聴予約を受け付ける視聴予約受付ステップと、
視聴予約されたコンテンツの開始時間と終了時間を含む属性情報である第二属性情報を取得する第二属性取得ステップと、
前記着信判断ステップにて着信があると判断した場合で、前記視聴予約受付ステップにてコンテンツの視聴予約がされている場合に、前記第一属性情報及び前記第二属性情報を用いてコミュニケーション相手側に対して告知情報を送信する第二告知ステップと、
をコンテンツ再生装置に実行させるためのプログラム。
【請求項５】
請求項１から請求項３のいずれか一項に記載のコンテンツ再生装置であるテレビ受像機。
【請求項６】
請求項４に記載のプログラムを記憶した記憶媒体。
【発明の詳細な説明】
【技術分野】
【０００１】
本発明は、ネットワークを利用したコミュニケーションが可能なコンテンツ再生装置、コンテンツ再生装置にて実行されるプログラム、テレビ受像機、プログラムを記憶した記憶媒体に関する。
【背景技術】
【０００２】
近年、ネットワーク対応テレビにカメラやマイクを接続して、電話をかけるテレビ電話が普及している。普及の要因としては、時間や場所によらず無料でかけられることや、テレビの大画面を通して顔を見ながら会話ができること、簡単な方法で電話をかけられることなどが挙げられる。
【０００３】
テレビ電話の利用者は、視聴中に電話の着信が来た際には、テレビの視聴を中断してコミュニケーションを開始したり、テレビの視聴を継続して視聴後に電話をかけ直したりする。ただし、発信者によらず常に着信の報知を行うことは好ましくないため、これを解決する技術も存在する。例えば、特許文献１においては、データベースに登録している発信者以外からの着信が視聴中にあった場合にはテレビ画面には表示せず、テレビ番組の視聴後において着信の履歴を自動的に表示する発明が開示されている。
【先行技術文献】
【特許文献】
【０００４】
【特許文献１】特開２００９−１３６０３０
【発明の概要】
【発明が解決しようとする課題】
【０００５】
しかしながら、従来技術においては、テレビの視聴を継続する場合に、同じ人から続けて着信があったとしても無視し続けることになってしまうため、相手方に失礼になることがあった。また、相手方としても、どれくらい後に電話をかけ直すべきか把握することができず、テレビを視聴している人に対して不親切な電話をかけてしまうことがあった。
【課題を解決するための手段】
【０００６】
以上の課題を解決するために、本発明は、ネットワークを利用したコミュニケーションが可能なコミュニケーション部と、コンテンツの視聴中にコミュニケーション着信があるか判断する着信判断部と、着信判断部にて着信があると判断した場合にコミュニケーションを開始するか否かの決定結果を取得する決定結果取得部と、視聴中のコンテンツの終了時間を含む属性情報である第一属性情報を取得する第一属性取得部と、取得した第一属性情報を用いてコミュニケーション相手側に対して告知情報を送信可能な第一告知部と、コンテンツの視聴予約を受け付ける視聴予約受付部と、視聴予約されたコンテンツの開始時間と終了時間を含む属性情報である第二属性情報を取得する第二属性取得部と、前記着信判断部にて着信があると判断した場合で、前記視聴予約受付部にてコンテンツの視聴予約がされている場合に、前記第一属性情報及び前記第二属性情報を用いてコミュニケーション相手側に対して告知情報を送信可能な第二告知部と、を有するコンテンツ再生装置を提案する。
【発明の効果】
【０００７】
以上のような構成をとる本発明は、電話やメールなどの発信者に対して視聴中のコンテンツの終了時間などを用いた情報を送信することが可能になるため、電話やメールなどの発信者はどれくらい待てばコミュニケーションが可能になるか把握することができる。
【図面の簡単な説明】
【０００８】
【図１】実施形態１のコンテンツ再生装置の機能ブロックの一例を示す図
【図２】コミュニケーション着信があった場合の表示画面の一例を示す図
【図３】コミュニケーション着信があった場合の表示画面の他の例を示す図
【図４】コミュニケーション相手側の端末の表示画面の一例を示す図
【図５】コミュニケーション相手側の端末の表示画面の他の例を示す図
【図６】コンテンツ再生装置の具体的なハードウェア構成の一例を示す図
【図７】実施形態１のコンテンツ再生装置の処理の流れの一例を示す図
【図８】実施形態１のテレビ電話機能付きのテレビ受像機の処理の流れを示す図
【図９】実施形態２のコンテンツ再生装置の機能ブロックの一例を示す図
【図１０】コンテンツ再生装置の設定画面の一例を示す図
【図１１】各ジャンルに対して指数が関連付けられたテーブルの一例を示す図
【図１２】実施形態２のコンテンツ再生装置の処理の流れの一例を示す図
【図１３】実施形態２のテレビ電話機能付きのテレビ受像機の処理の流れを示す図
【図１４】実施形態３のコンテンツ再生装置の機能ブロックの一例を示す図
【図１５】着信側の表示画面と、発信の表示画面の一例を示す図
【図１６】実施形態３のコンテンツ再生装置の処理の流れの一例を示す図
【図１７】実施形態３のテレビ電話機能付きのテレビ受像機の処理の流れを示す図（１）
【図１８】図１７の処理の流れにおいて、着信に対する応対の一例を示す図
【図１９】実施形態３のテレビ電話機能付きのテレビ受像機の処理の流れを示す図（２）
【図２０】図１９の処理の流れにおいて、着信に対する応対の一例を示す図
【図２１】実施形態４のコンテンツ再生装置の機能ブロックの一例を示す図
【図２２】コミュニケーション相手の設定カテゴリの設定画面の一例を示す図
【図２３】コミュニケーション相手の設定カテゴリと、各ジャンルのジャンル指数に応じて決定される応対の内容の一例を示す図
【図２４】コミュニケーション相手の設定カテゴリと、各ジャンルのジャンル指数に応じて、視聴予約されたコンテンツの開始時間や終了時間を考慮するか否か決定するためのテーブルの一例を示す図
【図２５】実施形態４のコンテンツ再生装置の処理の流れの一例を示す図
【図２６】実施形態４のテレビ電話機能付きのテレビ受像機の処理の流れを示す図
【図２７】図２６の処理の流れにおいて、着信に対する応対の一例を示す図
【図２８】相手側区分とコンテンツのジャンル指数に基づく応対の一例を示す図
【発明を実施するための形態】
【０００９】
以下に、本発明にかかるコンテンツ再生装置の実施形態を説明する。実施形態と請求項の相互の関係は、以下のとおりである。実施形態１では主に、コンテンツの視聴中にネットワークを利用したコミュニケーション着信があるか判断し、着信があると判断した場合にコミュニケーションを開始するか否かの決定結果を取得し、視聴中のコンテンツの終了時間を含む属性情報である第一属性情報を取得し、取得した第一属性情報を用いてコミュニケーション相手側に対して告知情報を送信するコンテンツ再生装置、プログラム、テレビ受像機、記憶媒体について説明し、実施形態２では主に、着信があると判断した場合に、第一属性情報を用いてコミュニケーションを開始するか否かの決定結果を出力するコンテンツ再生装置、テレビ受像機、記憶媒体について説明し、実施形態３では主に、コンテンツの視聴予約を受け付け、視聴予約されたコンテンツの開始時間と終了時間を含む属性情報である第二属性情報を取得し、着信があると判断した場合で、コンテンツの視聴予約がされている場合に、第一属性情報及び第二属性情報を用いてコミュニケーション相手側に対して告知情報を送信するコンテンツ再生装置、テレビ受像機、記憶媒体について説明し、実施形態４では主に、着信があると判断した場合に、コミュニケーション相手側の属性情報である相手側属性情報を取得し、取得した相手側属性情報を用いてコミュニケーションを開始するか否かの決定結果を出力するコンテンツ再生装置、テレビ受像機、記憶媒体について説明する。なお、本発明はこれらの実施形態に何ら限定されるものではなく、その要旨を逸脱しない範囲内において、種々なる態様で実施しうる。
【００１０】
<<実施形態１>>
【００１１】
<概要>
本実施形態のコンテンツ再生装置は、コンテンツの視聴中にコミュニケーション着信があった場合において、コミュニケーションを開始せずに視聴を継続した場合、視聴中のコンテンツの終了時間などの情報を発信者に対して送信することを特徴とする。
【００１２】
<構成>
図１は、本実施形態のコンテンツ再生装置の機能ブロックの一例を示す図である。この図にあるように、「コンテンツ再生装置」０１００は、「コミュニケーション部」０１０１と、「着信判断部」０１０２と、「決定結果取得部」０１０３と、「第一属性取得部」０１０４と、「第一告知部」０１０５と、を有する。
【００１３】
「コミュニケーション部」は、ネットワークを利用したコミュニケーションが可能な機能を有する。ここで、ネットワークを利用したコミュニケーションとしては、ネットワークを利用した音声及び映像のコミュニケーション（テレビ電話など）の他に、音声を主体とするコミュニケーション（音声電話、ボイスチャットなど）や、文字を主体とするコミュニケーション（メール、チャットなど）も含まれる。また、音声を文字に変換した上で画面に表示するようなコミュニケーションも考えられる。また、ネットワークとしては、インターネットの他に、ＷＡＮ（ワールドエリアネットワーク）やＬＡＮ（ローカルエリアネットワーク）などのネットワークも含まれる。
【００１４】
「着信判断部」は、コンテンツの視聴中にコミュニケーション着信があるか判断する機能を有する。ここで、コンテンツは、コンテンツ再生装置にて再生可能なものであれば足り、具体的にはテレビ放送局から受信するテレビ放送番組や、ネットワーク上のコンテンツサーバから受信するコンテンツ、磁気ディスクや光ディスクなどの記録媒体に記録されたコンテンツ、他の装置から有線又は無線のＬＡＮを介して取得されるコンテンツなどが挙げられる。
【００１５】
コンテンツの視聴中にコミュニケーション着信があった場合は、例えばコンテンツ再生装置の表示画面の一部にコミュニケーション着信があった旨を表示する。図２は、コンテンツの視聴中にコミュニケーション着信があった場合の、表示画面の一例を示す図である。この図の例では、着信の種類「テレビ電話着信」と発信者の名前「田中さん」、着信に対してどのように対処するかを求める選択ボタン「テレビ電話を開始する」、「番組終了時間を通知する」、「着信を拒否する」が表示されている。また、図３は、コンテンツの視聴中にコミュニケーション着信があった場合の、表示画面の他の例を示す図である。この図の例では、着信の種類「メール受信」、発信者の種類「伊藤さん」、着信に対してどのように対処するかを求める選択ボタン「メールに返信する」、「番組終了時間を通知する」、「メールを削除する」が表示されている。
【００１６】
なお、コンテンツの視聴中にコミュニケーション着信があった場合において、着信があった旨を常に通知する必要はなく、視聴中のコンテンツのカテゴリがお気に入りのものである場合や、コミュニケーション相手（発信者）が登録されていない者である場合は着信を通知しない、といった態様も可能である。視聴中のコンテンツのカテゴリがお気に入りのものであるか否か判断する処理は以下で述べる第一属性情報に基づいて行うことが可能であり、コミュニケーション相手が登録されている者であるか否か判断する処理は、実施形態４で説明する相手側属性情報に基づいて行うことが可能である。
【００１７】
また、着信判断部にて着信があると判断される場合にその着信の履歴を保持する着信履歴保持部を備える構成も可能である。ここで、着信の履歴としては、発信者を特定する情報（名前、ニックネーム、発信者ＩＤなど）、着信の日時、着信の種類（テレビ電話着信、音声電話着信、メール受信など）などが考えられる。当該着信履歴の情報を用いて、コンテンツの視聴後に、視聴中の着信履歴を表示することが考えられる。また、当該着信履歴の情報を用いて、コンテンツの終了後に自動発信する構成も可能である。
【００１８】
「決定結果取得部」は、着信判断部にて着信があると判断した場合にコミュニケーションを開始するか否かの決定結果を取得する機能を有する。コミュニケーションを開始するか否かの決定には、コミュニケーションをすぐに開始する又は開始しないといった決定の他に、発信者とのコミュニケーションを所定時間経過した後に開始する又は着信に応答する、といった決定や、今後も発信者に対してコミュニケーションを開始する予定はないといった決定も含まれる。
【００１９】
ここで、コミュニケーションを開始するか否かの決定結果を取得する方法として、利用者から操作入力を受け付ける方法が挙げられる。具体的には、「テレビ電話着信」に対しては、図２に示したように「テレビ電話を開始する」、「番組終了時間を通知する」、「着信を拒否する」といった選択ボタンを表示し、「メール着信」に対しては、図３に示したように「メールに返信する」、「番組終了時間を通知する」、「メールを削除する」といった選択ボタンを表示し、操作入力機器を介して利用者の選択操作を受け付けることが考えられる。
【００２０】
また、視聴中のコンテンツの属性情報を用いてコミュニケーションを開始するか否かの決定結果を出力し、当該決定結果を取得することも可能である。例えば、視聴中のコンテンツが視聴者のお気に入りのジャンルに該当すると判断される場合はコンテンツが終了するまでコミュニケーションは開始しないとの決定結果を出力し、お気に入りのジャンルに該当しないと判断される場合はコミュニケーションを開始するとの決定結果を出力する。詳細は実施形態２にて説明する。
【００２１】
また、視聴予約されたコンテンツの開始時間や終了時間、カテゴリなどの属性情報を用いてコミュニケーションを開始するか否かの決定結果を出力し、当該決定結果を取得することも可能である。例えば、現在視聴しているコンテンツが視聴者のお気に入りのジャンルに該当しないと判断される場合であっても、これから所定時間以内（例えば、１５分以内）に視聴予定のコンテンツがお気に入りのジャンルに該当すると判断される場合は、その視聴予約されたコンテンツが終了するまでコミュニケーションは開始しないとの決定結果を出力することが考えられる。詳細は実施形態３にて説明する。
【００２２】
また、コミュニケーション相手側の属性情報を用いてコミュニケーションを開始するか否かの決定結果を出力し、当該決定結果を取得することも可能である。例えば、コミュニケーション相手が、すぐにコミュニケーションを開始すべき対象に登録されている場合はコミュニケーションを開始するとの決定結果を出力し、登録されていない場合はコンテンツが終了するまでコミュニケーションは開始しないとの決定結果を出力する。詳細は実施形態４にて説明する。
【００２３】
「第一属性取得部」は、視聴中のコンテンツの終了時間を含む属性情報である第一属性情報を取得する機能を有する。ここで、第一属性情報としては、コンテンツを識別するための索引的情報、コンテンツの詳細内容情報、放送イベント履歴情報、コンテンツの分類（ジャンル）情報、コンテンツのフォーマット情報などが挙げられる。より具体的には、コンテンツの索引的情報としてコンテンツのタイトル、出演者、監督、原作者、製作会社の情報、話数などが挙げられる。また、コンテンツの詳細内容情報としてコンテンツの開始時間・終了時間、内容時間、コマーシャルの開始時間・終了時間、概要説明、キーワード、撮影場所、利用楽曲などが挙げられる。また、放送イベント履歴情報として、初回放送日時、放送チャンネル名、生放送フラグ、視聴率情報、放送回数などが挙げられる。また、コンテンツの分類（ジャンル）情報として、ジャンルコード（ニュース、スポーツ等）、目的区分（娯楽、教養等）、視聴対象コード（児童、一般等）などが挙げられる。また、コンテンツのフォーマット情報として、映像サンプリングレート、音声ビットレート、解像度、録画制限フラグ、視聴回数制限フラグ、などが挙げられる。
【００２４】
「第一告知部」は、取得した第一属性情報を用いてコミュニケーション相手側に対して告知情報を送信可能な機能を有する。ここで、コミュニケーション相手側とは、テレビ電話や音声電話の発信者や、メールの送信者などが挙げられる。また、第一属性情報を用いて告知情報を送信するとは、少なくとも視聴中のコンテンツの終了時間の情報を用いて告知情報を送信することをいう。具体的には、コンテンツの終了時間の情報を含む告知情報をコミュニケーション相手側に送信したり、コンテンツの終了時間から一定時間（例えば、５分）経過した時刻を応答可能な時間としてコミュニケーション相手側に送信したりする。
【００２５】
図４は、告知情報を受信したコミュニケーション相手側の端末の表示画面の一例を示す図である。この図の例では、テレビ電話の発信に対して、「現在テレビ番組を視聴中のため、通話できません。番組終了後の２０時５０分以降に電話をかけて下さい。」といった告知情報が表示されている。コミュニケーション相手側は、告知情報を受信することにより、「２０時５０分以降」に電話をかけ直せばよいことを把握することが可能になる。また、図５は、告知情報を受信したコミュニケーション相手側の端末の表示画面の他の例を示す図である。この図の例では、メールの送信に対して、「現在テレビ番組を視聴中のため、メールに返信できません。番組終了後の２０時５０分以降までお待ちください。」といった告知情報が表示されている。コミュニケーション相手側は、告知情報を受信することにより、「２０時５０分以降」にメールの返信が期待できると把握することが可能になる。
【００２６】
なお、第一属性情報としてコンテンツの終了時間の他にコマーシャルの開始時間・終了時間の情報を受信している場合、第一告知部は、コマーシャルの開始時間・終了時間の情報をさらに用いて告知情報を送信することも可能である。具体的には、告知情報にコマーシャルの開始時間・終了時間の情報を含めて送信する。当該告知情報を受信したコミュニケーション相手は、コマーシャルの時間枠で済むような内容である場合は、その時間枠を見計らって再度発信することが可能になる。また、コマーシャルの時間枠では済むような内容でない場合は、コンテンツの終了後にコミュニケーションを行おうと判断することができる。
【００２７】
また、第一告知部は、コンテンツが終了した後に、着信履歴の情報に基づいて、コンテンツの視聴中に着信のあったコミュニケーション相手に対してコンテンツが終了した旨の通知を行ってもよい。この際に、直ちにコミュニケーションが開始可能な旨の通知や、所定時間内（１０分以内）又は所定時刻（現在から５分後の時刻）にこちらから発信する旨の通知、所定時間内又は所定時刻に発信してほしい旨の通知などを行ってもよい。また、コンテンツが終了する所定時間前に、しばらくするとコンテンツが終了する旨の通知を行ってもよい。
【００２８】
また、コンテンツの視聴中に複数の相手からコミュニケーション着信を受ける場合もある。この場合、第一告知部は、着信履歴からコンテンツの視聴中に最初に着信を受けたと判断されるコミュニケーション相手に対して、コンテンツの終了時間以降を応答可能な時間としてまず告知する。そして、二番目に着信を受けたと判断されるコミュニケーション相手に対しては、コンテンツの終了時間から所定時間（例えば、１５分）経過した後を応答可能な時間として告知する。三番目以降に着信を受けたと判断されるコミュニケーション相手に対しては、さらに後の時間を応答可能な時間として告知する。なお、コミュニケーション相手の過去の通話時間の情報を保持している場合は、当該通話時間の情報から平均通話時間を算出し、当該平均通話時間に基づいて各順番の応答可能時間の差としてもよい。
【００２９】
また、複数の相手と同時にコミュニケーションを行うためのコミュニケーション着信をコンテンツの視聴中に受ける場合もある。この場合は、同時にコミュニケーションを行う複数の相手に対して同一の告知情報を送信してもよい。例えば、コンテンツの終了時間以降の所定時刻にコミュニケーションに参加することが可能である旨の通知や、コンテンツの終了時間以降の所定時刻にみんなでコミュニケーションを開始したい旨の通知などを、同時に複数のコミュニケーション相手に対して通知する。
【００３０】
また、本実施形態のコンテンツ再生装置同士でコミュニケーションを行う場合は、互いに告知情報を送受信する態様や、他の複数のコンテンツ再生装置から各告知情報を受信する態様も考えられる。例えば、一のコンテンツ再生装置から他のコンテンツ再生装置に対して発信を行った場合、他のコンテンツ再生装置から告知情報を受信する。一のコンテンツ再生装置は、当該告知情報に基づいて、指定された時刻に他のコンテンツ再生装置に対して自動発信してもよいし、指定された時刻の前後に自己の表示画面にアラームを出してもよい。また、コミュニケーションを同時に行う複数のコンテンツ再生装置から告知情報をそれぞれ受信した場合は、各告知情報に含まれる応答可能時間を比較して、全てのコミュニケーション相手が同時に応答可能な時間を選択し、その選択結果を他の複数のコンテンツ再生装置に対して送信してもよい。ここで、全てのコミュニケーション相手が同時に応答可能な時間が存在しない場合は、同時に通話可能な人数が最大となる時間を選択する処理を行い、その選択結果を他の複数のコンテンツ再生装置に対して送信してもよい。
【００３１】
<具体的な構成>
図６は、本実施形態のコンテンツ再生装置の具体的なハードウェア構成の一例を示す図である。この図にあるように、コンテンツ再生装置は、「処理演算装置（ＣＰＵ、ＧＰＵなど）」０６０１と、「ＲＡＭ」０６０２、「長期記憶装置（磁気ディスク、光ディスクなど）」０６０３、「ネットワークＩ／Ｆ」０６０４、「映像・音声デコーダ」０６０５、「リモコンＩ／Ｆ」０６０６、「カメラ」０６０７、「カメラＩ／Ｆ」０６０８、「マイク」０６０９、「マイクＩ／Ｆ」０６１０、「映像・音声エンコーダ」０６１１、「ディスプレイ」０６１２、「ディスプレイコントローラ」０６１３、「チューナ」０６１４、「放送デコーダ」０６１５、「スピーカ」０６１６、「出力アンプ」０６１７等から構成される。各ハードウェアは、「システムバス」０６１８により相互に連結され、信号のやり取りを行うことが可能である（上記ハードウェア構成は、以下の実施形態においても同様である）。
【００３２】
コンテンツ再生装置は、チューナを介してコンテンツの動画圧縮データを受信する。そして、受信した動画圧縮データをデコーダにて伸張し、ディスプレイコントローラを介してディスプレイに映像を表示し、出力アンプを介してスピーカから音声を出力する。また、コンテンツ再生装置は、ネットワークＩ／Ｆを介してネットワーク上のコンテンツサーバからコンテンツの動画圧縮データを受信し、映像・音声デコードにて伸張した後にディスプレイやスピーカに対して映像、音声を出力する。
【００３３】
また、コンテンツ再生装置は、チューナやネットワークＩ／Ｆを介してコンテンツの電子番組情報を受信する。当該電子番組情報は、コンテンツ再生装置の長期記憶装置に格納され、処理演算装置は必要に応じて長期記憶装置に格納された電子番組情報をＲＡＭに読み出す。
【００３４】
また、コンテンツ再生装置は、ネットワークＩ／Ｆを介してコミュニケーション相手側からのコミュニケーション着信を受信する。そして、処理演算装置にて現在コンテンツがディスプレイに対して出力されているか否か判断する。また、処理演算装置は、コミュニケーション着信があった旨をディスプレイにて表示する。そして、コミュニケーションを開始するか否かの決定結果を、利用者の操作入力により取得する。利用者の操作入力はリモコン装置を介して行われ、処理演算装置は当該操作入力の結果をリモコンＩ／Ｆを介して受信する。
【００３５】
処理演算装置は、コミュニケーションを開始しないとの決定結果を取得した場合は、現在ディスプレイに対して出力しているコンテンツの終了時間の情報を電子番組情報から取得し、長期記憶装置に格納されているメッセージのひな形データに合成する処理を行う。そして、生成されたメッセージデータをネットワークＩ／Ｆを介して発信者に対して送信する。また、処理演算装置は、コミュニケーションを開始するとの決定結果を取得した場合は、ディスプレイに対するコンテンツデータの出力処理を中断し、コミュニケーション開始用画面のデータをディスプレイに対して出力する。そして、コミュニケーションの開始と共に、カメラからの映像信号及びマイクから音声信号をカメラＩ／ＦとマイクＩ／Ｆを介して取得し、映像・音声エンコーダにより動画圧縮データを生成する。生成された動画圧縮データは、ネットワークＩ／Ｆを介してコミュニケーション相手側に送信される。また、コミュニケーション相手側から受信した動画圧縮データは、映像・音声デコーダによりデコードされ、ディスプレイ、スピーカを介して出力される。
【００３６】
<処理の流れ>
図７は、本実施形態のコンテンツ再生装置の処理の流れの一例を示す図である。以下に述べる処理は、コンテンツ再生装置にて所定のプログラムを実行することにより行われ、そのプログラムは記憶媒体に記憶することが可能である。まず、ステップＳ０７０１において、コンテンツの視聴中にコミュニケーション着信があるか判断する（着信判断ステップ）。ここで、コンテンツの視聴中に着信があるとの判断である場合は、ステップＳ０７０２に進む。ここで、着信がないとの判断である場合は、待機する。次に、ステップＳ０７０２において、コミュニケーションを開始するか否かの決定結果を取得する（決定結果取得ステップ）。ここで、コミュニケーションを開始するとの決定結果を取得した場合は、ステップＳ０７０３Ａに進む。ここで、コミュニケーションを開始しないとの決定結果を取得した場合は、ステップＳ０７０３Ｂに進む。ステップＳ０７０３Ａにおいては、ネットワークを利用したコミュニケーションを開始する。ステップＳ０７０３Ｂにおいては、視聴中のコンテンツの終了時間を含む属性情報である第一属性情報を取得する（第一属性取得ステップ）。次に、ステップＳ０７０４Ｂにおいては、取得した第一属性情報を用いてコミュニケーション相手側に対して告知情報を送信する（第一告知ステップ）。なお、上記において、第一属性情報は、決定結果取得ステップの後に取得しているが、着信判断ステップの前や、決定結果取得ステップの直前に取得してもよい。
【００３７】
<具体例>
図８は、図７の具体例であり、テレビ電話機能付きのテレビ受像機の処理の流れを示す図である。まず、ステップＳ０８０１において、視聴開始の操作を受け付ける。次に、ステップＳ０８０２において、テレビ電話を着信したか否か判断する。ここで、テレビ電話の着信がある場合は、ステップＳ０８０３に進む。テレビ電話の着信がない場合は、待機する。次に、ステップＳ０８０３において、着信があった旨をテレビ画面に表示して利用者に通知する。次に、ステップＳ０８０４において、着信に対する利用者の操作入力を受け付ける。ここで、着信拒否の操作入力を受け付けた場合は、着信を拒否して、ステップＳ０８０２に戻る。ここで、通話開始の操作入力を受け付けた場合は、ステップＳ０８０５Ａに進む。ここで、応答可能な時間を通知するための操作入力を受け付けた場合は、ステップＳ０８０５Ｂに進む。ステップＳ０８０５Ａにおいては、テレビ放送番組の入力からテレビ電話画面の入力に切り換え、ステップＳ０８０６Ａに進んでテレビ電話画面を表示する。ステップＳ０８０５Ｂにおいては、現番組の電子番組情報を取得し、ステップＳ０８０６Ｂに進んで現番組の終了時間に基づいて応答可能な時間を発信者に対して通知する。
【００３８】
<効果>
以上のような構成をとる本発明は、電話やメールなどの発信者に対して視聴中のコンテンツの終了時間などを用いた情報を送信することが可能になるため、電話やメールなどの発信者はどれくらい待てばコミュニケーションが可能になるか把握することができる。
【００３９】
<<実施形態２>>
【００４０】
<概要>
【００４１】
本実施形態のコンテンツ再生装置は、基本的に実施形態１と同様であるが、コンテンツの視聴中にコミュニケーション着信があると判断した場合に、視聴中のコンテンツの終了時間を含む属性情報を用いてコミュニケーションを開始するか否かの決定結果を出力することを特徴とする。
【００４２】
<構成>
図９は、本実施形態のコンテンツ再生装置の機能ブロックの一例を示す図である。この図にあるように、「コンテンツ再生装置」０９００は、「コミュニケーション部」０９０１と、「着信判断部」０９０２と、「決定結果取得部」０９０３と、「第一属性取得部」０９０４と、「第一告知部」０９０５と、「第一決定部」０９０６を有する。以下、実施形態１との相違点である「第一決定部」について説明する。
【００４３】
「第一決定部」は、着信判断部にて着信があると判断した場合に、取得した第一属性情報を用いてコミュニケーションを開始するか否かの決定結果を出力する機能を有する。実施形態１で述べたように、第一属性情報としては、コンテンツを識別するための索引的情報、コンテンツの詳細内容情報、放送イベント履歴情報、コンテンツの分類（ジャンル）情報、コンテンツのフォーマット情報など、コンテンツに関連する種々の情報が挙げられる。第一決定部は、これらの情報の一以上を用いて、コミュニケーションを開始するか否かの決定結果を出力するものである。
【００４４】
例えば、コンテンツの分類（ジャンル）に応じてコミュニケーションを開始するか否かの決定結果を出力することが考えられる。この場合、利用者はコンテンツ再生装置などの設定画面を利用して、各ジャンルに対して視聴中に着信があった場合にコミュニケーションを開始するか否かの設定をしておくことが考えられる。図１０は、コンテンツ再生装置の設定画面の一例を示す図である。この図においては、利用者はスポーツと音楽に関連するコンテンツについては着信を拒否するとの設定をし、ニュースや時代劇、ドラマについては着信を拒否しないでコミュニケーションを開始するとの設定をしている。
【００４５】
なお、各ジャンルに対して指数を定めておき、他の判断要素との兼ね合いの上でコミュニケーションを開始するか否かの決定結果を出力することも可能である。図１１は、各ジャンルに対して指数が関連付けられたテーブルの一例を示す図である。例えば、ジャンル指数が「高」のコンテンツの視聴中においては、重要人物度が「高」の対象者からの着信に対してのみコミュニケーションを開始し、ジャンル指数が「中」のコンテンツの視聴中においては、重要人物度が「中」以上の対象者からの着信に対してコミュニケーションを開始し、ジャンル指数が「低」のコンテンツの視聴中においては、重要人物度が「低」以上の対象者からの着信に対してコミュニケーションを開始する。
【００４６】
また、出演者に応じてコミュニケーションを開始するか否かの決定結果を出力してもよい。この場合も、利用者はコンテンツ再生装置などの設定画面を利用して、特定の出演者が出演しているコンテンツについては、着信があったとしてもコミュニケーションは開始しない、といった設定をしておく。さらに、視聴率に応じてコミュニケーションを開始するか否かの決定結果を出力してもよい。例えば、視聴している時点での視聴率が２０％以上である場合は着信があったとしてもコミュニケーションは開始せず、それより低い視聴率である場合はコミュニケーションを開始する、といった決定結果を出力する。また、視聴回数制限フラグや録画制限フラグがＯＮになっている場合は着信を拒否し、それ以外の場合はコミュニケーションを開始する、といった決定結果を出力してもよい。
【００４７】
また、第一属性情報の他に視聴者の過去の視聴履歴の情報をさらに用いてコミュニケーションを開始するか否かの決定結果を出力してもよい。例えば、連続ドラマなどの連続性のあるコンテンツを視聴者が一定の割合以上視聴している場合、そのコンテンツを視聴する意欲が強いと予想される。このように、視聴者の過去の視聴履歴から視聴中のコンテンツに対する嗜好度が一定以上であると算出される場合は、コミュニケーションを開始せず、嗜好度が一定未満である場合はコミュニケーションを開始する、といった決定結果を出力することも可能である。
【００４８】
<処理の流れ>
図１２は、本実施形態のコンテンツ再生装置の処理の流れの一例を示す図である。以下に述べる処理は、コンテンツ再生装置にて所定のプログラムを実行することにより行われ、そのプログラムは記憶媒体に記憶することが可能である。まず、ステップＳ１２０１において、コンテンツの視聴中にコミュニケーション着信があるか判断する（着信判断ステップ）。ここで、コンテンツの視聴中に着信があるとの判断である場合は、ステップＳ１２０２に進む。ここで、着信がないとの判断である場合は、待機する。次に、ステップＳ１２０２において、視聴中のコンテンツの終了時間を含む属性情報である第一属性情報を取得する（第一属性取得ステップ）。次に、ステップＳ１２０３において、取得した第一属性情報を用いてコミュニケーションを開始するか否かの決定結果を出力する（第一決定ステップ）。次に、ステップＳ１２０４において、コミュニケーションを開始するか否かの決定結果を取得する（決定結果取得ステップ）。ここで、コミュニケーションを開始するとの決定結果を取得した場合は、ステップＳ１２０５Ａに進む。ここで、コミュニケーションを開始しないとの決定結果を取得した場合は、ステップＳ１２０５Ｂに進む。ステップＳ１２０５Ａにおいては、ネットワークを利用したコミュニケーションを開始する。ステップＳ１２０５Ｂにおいては、取得した第一属性情報を用いてコミュニケーション相手側に対して告知情報を送信する（第一告知ステップ）。なお、上記において、第一属性情報は、コミュニケーション着信があると判断した後に取得しているが、それよりも前の段階にて取得しておいてもよい。
【００４９】
<具体例>
図１３は、図１２の具体例であり、テレビ電話機能付きのテレビ受像機の処理の流れを示す図である。まず、ステップＳ１３０１において、視聴開始の操作を受け付ける。次に、ステップＳ１３０２において、テレビ電話を着信したか否か判断する。ここで、テレビ電話の着信がある場合は、ステップＳ１３０３に進む。テレビ電話の着信がない場合は、待機する。次に、ステップＳ１３０３において、着信があった旨をテレビ画面に表示して利用者に通知する。次に、ステップＳ１３０４においては、現番組の電子番組情報を取得する。次に、ステップＳ１３０５において、現番組の電子番組情報と、利用者の設定情報に基づいて、現番組が着信拒否のジャンルに該当するか否か判断する。ここで、着信拒否のジャンルに該当しないとの判断である場合は、ステップＳ１３０６Ａに進む。ここで、着信拒否のジャンルに該当するとの判断である場合は、ステップＳ１３０７Ｂに進む。次に、ステップＳ１３０６Ａにおいて、着信に対する利用者の操作入力を受け付ける。ここで、着信拒否の操作入力を受け付けた場合は、着信を拒否して、ステップＳ１３０２に戻る。ここで、通話開始の操作入力を受け付けた場合は、ステップＳ１３０７Ａに進む。ここで、応答可能な時間を通知するための操作入力を受け付けた場合は、ステップＳ１３０７Ｂに進む。ステップＳ１３０７Ａにおいては、テレビ放送番組の入力からテレビ電話画面の入力に切り換え、ステップＳ１３０８Ａに進んでテレビ電話画面を表示する。ステップＳ１３０７Ｂにおいては、現番組の終了時間に基づいて応答可能な時間を発信者に対して通知する。
【００５０】
<効果>
本実施形態のコンテンツ再生装置は、実施形態１の効果に加えて、視聴中のコンテンツのジャンルなどを用いてコミュニケーションを開始するか否かを決定することが可能であり、利用者の好みなどに沿った対応が可能となる。
【００５１】
<<実施形態３>>
【００５２】
<概要>
本実施形態のコンテンツ再生装置は、コンテンツの視聴中にコミュニケーション着信があった場合において、コミュニケーションを開始せずに視聴を継続した場合、視聴中のコンテンツの終了時間と、視聴予約したコンテンツの開始時間及び終了時間の情報を用いて発信者に対して告知情報を送信することを特徴とする。
【００５３】
<構成>
図１４は、本実施形態のコンテンツ再生装置の機能ブロックの一例を示す図である。この図にあるように、「コンテンツ再生装置」１４００は、「コミュニケーション部」１４０１と、「着信判断部」１４０２と、「決定結果取得部」１４０３と、「第一属性取得部」１４０４と、「第一告知部」１４０５と、「視聴予約受付部」１４０６と、「第二属性取得部」１４０７と、「第二告知部」１４０８を有する。
【００５４】
「視聴予約受付部」は、コンテンツの視聴予約を受け付ける機能を有する。ここで、コンテンツの視聴予約としては、テレビ放送番組の視聴予約やコンテンツサーバから受信するコンテンツの視聴予約の他に、記録媒体に記録されたコンテンツの視聴予約なども含まれるものである。例えば、記録媒体に記録されたコンテンツを２０：００〜２１：００までの間で視聴しようと予めスケジュールを立てておき、当該時間帯の到来と共に自動的にコンテンツが再生されるような態様も含まれるものである。
【００５５】
「第二属性取得部」は、視聴予約されたコンテンツの開始時間と終了時間を含む属性情報である第二属性情報を取得する機能を有する。ここで、第二属性情報としては、第一属性情報と同様に、コンテンツを識別するための索引的情報、コンテンツの詳細内容情報、放送イベント履歴情報、コンテンツの分類（ジャンル）情報、コンテンツのフォーマット情報などが挙げられる。
【００５６】
「第二告知部」は、着信判断部にて着信があると判断した場合で、視聴予約受付部にてコンテンツの視聴予約がされている場合に、取得した第一属性情報及び第二属性情報を用いてコミュニケーション相手側に対して告知情報を送信可能な機能を有する。第一属性情報及び第二属性情報を用いて告知情報を送信するとは、少なくとも視聴中のコンテンツの終了時間の情報と、視聴予約されたコンテンツの開始時間と終了時間を用いて告知情報を送信することをいう。具体的には、現在視聴しているコンテンツの後に視聴予約しているコンテンツが存在する場合は当該視聴予約されたコンテンツの終了時間の情報を含む告知情報をコミュニケーション相手側に送信する。また、現在視聴しているコンテンツの終了時間と視聴予約されたコンテンツの開始時間の間に所定時間以上（例えば、３０分以上）存在する場合は、現在視聴しているコンテンツの終了時間と視聴予約されたコンテンツの開始時間の合間を応答可能な時間帯としてコミュニケーション相手側に送信することも考えられる。また、現在コミュニケーションを開始することは可能だが、しばらくすると視聴予約されたコンテンツが開始してしまうような場合は、その旨を告知情報として送信することも考えられる。
【００５７】
図１５は、着信側の表示画面と、告知情報を受信したコミュニケーション相手側（発信側）の端末の表示画面の一例を示す図である。この図の例では、着信側において、「通話可能時間を通知する」選択ボタンを選択した結果、コミュニケーション相手側において、「現在（１９：４５）通話することは可能ですが、２０〜２１時は通話することができません。」といった告知情報が表示されている。コミュニケーション相手側は、告知情報を受信することにより、「１９：４５〜２０：００又は２１：００以降」に電話をすればよいことを把握できる。
【００５８】
<処理の流れ>
図１６は、本実施形態のコンテンツ再生装置の処理の流れの一例を示す図である。以下に述べる処理は、コンテンツ再生装置にて所定のプログラムを実行することにより行われ、そのプログラムは記憶媒体に記憶することが可能である。まず、ステップＳ１６０１において、視聴中のコンテンツの終了時間を含む属性情報である第一属性情報を取得する（第一属性取得ステップ）。次に、ステップＳ１６０２において、視聴予約されたコンテンツの開始時間と終了時間を含む属性情報である第二属性情報を取得する（第二属性取得ステップ）。次に、ステップＳ１６０３において、コンテンツの視聴中にコミュニケーション着信があるか判断する（着信判断ステップ）。ここで、コンテンツの視聴中に着信があるとの判断である場合は、ステップＳ１６０４に進む。ここで、着信がないとの判断である場合は、待機する。次に、ステップＳ１６０４において、コミュニケーションを開始するか否かの決定結果を取得する（決定結果取得ステップ）。ここで、コミュニケーションを開始するとの決定結果を取得した場合は、ステップＳ１６０５Ａに進む。ここで、コミュニケーションを開始しないとの決定結果を取得した場合は、ステップＳ１６０５Ｂに進む。ステップＳ１６０５Ａにおいては、ネットワークを利用したコミュニケーションを開始する。次に、ステップＳ１６０５Ｂにおいては、取得した第一属性情報及び第二属性情報を用いてコミュニケーション相手側に対して告知情報を送信する（第二告知ステップ）。なお、上記において、第一属性情報と、第二属性情報は、着信判断ステップの前に取得しているが、決定結果取得ステップの直前や、第二告知ステップの直前に取得してもよい。
【００５９】
<具体例１>
図１７は、図１６の具体例であり、テレビ電話機能付きのテレビ受像機の処理の流れを示す図である。まず、ステップＳ１７０１において、視聴開始の操作を受け付ける。次に、ステップＳ１７０２において、テレビ電話を着信したか否か判断する。ここで、テレビ電話の着信がある場合は、ステップＳ１７０３に進む。テレビ電話の着信がない場合は、待機する。次に、ステップＳ１７０３において、着信があった旨をテレビ画面に表示して利用者に通知する。次に、ステップＳ１７０４において、着信に対する利用者の操作入力を受け付ける。ここで、着信拒否の操作入力を受け付けた場合は、着信を拒否して、ステップＳ１７０２に戻る。ここで、通話開始の操作入力を受け付けた場合は、ステップＳ１７０５Ａに進む。ここで、応答可能な時間を通知するための操作入力を受け付けた場合は、ステップＳ１７０５Ｂに進む。ステップＳ１７０５Ａにおいては、テレビ放送番組の入力からテレビ電話画面の入力に切り換え、ステップＳ１７０６Ａに進んでテレビ電話画面を表示する。ステップＳ１７０５Ｂにおいては、現番組の電子番組情報を取得する。次に、ステップＳ１７０６Ｂにおいて、視聴予約番組の電子番組情報を取得する。次に、ステップＳ１７０７Ｂにおいて、現番組の終了時間と、視聴予約番組の番組開始時間及び終了時間の情報に基づいて、応答可能な時間を発信者に対して通知する。
【００６０】
図１８は、図１７の処理の流れにおいて発信者に対して通知される応答可能時間の一例を示す図である。まず、ケース１は、現在視聴している番組が２０：００に終了し、その後に視聴予約番組が存在しない場合である。この場合、現在視聴している番組が終了する２０：００以降にテレビ電話が可能である旨、通知される。ケース２は、ケース１の状況に加えて２０：００〜２１：００に視聴予約番組が存在する場合である。この場合は視聴予約番組が終了する２１：００以降にテレビ電話が可能である旨、通知される。ケース３は、現在視聴している番組が１９：３０に終了し、２０：００〜２１：００に視聴予約番組が存在する場合である。この場合、１９：３０〜２０：００又は２１：００以降にテレビ電話が可能である旨、通知される。ケース４は、ケース３の状況に加えて、２１：３０〜２３：３０に視聴予約番組が存在する場合である。この場合、１９：３０〜２０：００又は２１：００〜２１：３０にテレビ電話が可能である旨、通知される。
【００６１】
<具体例２>
図１９は、図１６の具体例であり、テレビ電話機能付きのテレビ受像機の処理の流れを示す図である。まず、ステップＳ１９０１において、視聴開始の操作を受け付ける。次に、ステップＳ１９０２において、現番組の電子番組情報を取得する。次に、ステップＳ１９０３において、視聴予約番組の電子番組情報を取得する。次に、ステップＳ１９０４において、テレビ電話を着信したか否か判断する。ここで、テレビ電話の着信がある場合は、ステップＳ１９０５に進む。テレビ電話の着信がない場合は、待機する。次に、ステップＳ１９０５において、着信があった旨をテレビ画面に表示して利用者に通知する。次に、ステップＳ１９０６において、現番組の電子番組情報と、利用者の設定情報に基づいて、現番組が着信拒否のジャンルに該当するか否か判断する。ここで、着信拒否のジャンルに該当しないとの判断である場合は、ステップＳ１９０７Ａに進む。ここで、着信拒否のジャンルに該当するとの判断である場合は、ステップＳ１９０８Ｂに進む。次に、ステップＳ１９０７Ａにおいて、着信に対する利用者の操作入力を受け付ける。ここで、着信拒否の操作入力を受け付けた場合は、着信を拒否して、ステップＳ１９０４に戻る。ここで、通話開始の操作入力を受け付けた場合は、ステップＳ１９０８Ａに進む。ここで、応答可能な時間を通知するための操作入力を受け付けた場合は、ステップＳ１９０８Ｂに進む。ステップＳ１９０８Ａにおいては、テレビ放送番組の入力からテレビ電話画面の入力に切り換え、ステップＳ１９０９Ａに進んでテレビ電話画面を表示する。次に、ステップＳ１９０８Ｂにおいて、視聴予約番組の電子番組情報と、利用者の設定情報に基づいて、視聴予約番組が着信拒否のジャンルに該当するか否か判断する。ここで、着信拒否のジャンルに該当しないとの判断である場合は、ステップＳ１９０９Ｂに進む。ここで、着信拒否のジャンルに該当するとの判断である場合は、ステップＳ１９０９Ｃに進む。ステップＳ１９０９Ｂにおいては、現番組の終了時間に基づいて応答可能な時間を発信者に対して通知する。ステップＳ１９０９Ｃにおいては、現番組の終了時間と、視聴予約番組の開始時間及び終了時間に基づいて、応答可能な時間を発信者に通知する。
【００６２】
図２０は、図１９の処理の流れにおいて、発信者に対して通知される応答可能時間の一例を示す図である。まず、ケース５は、現在視聴している番組（着信拒否ジャンル）が２０：００に終了し、その後に視聴予約番組が存在しない場合である。この場合、現在視聴している番組が終了する２０：００以降にテレビ電話が可能である旨、通知される。ケース６は、ケース１の状況に加えて２０：００〜２１：００に視聴予約番組（着信拒否ジャンル）が存在する場合である。この場合は視聴予約番組が終了する２１：００以降にテレビ電話が可能である旨、通知される。ケース７は、現在視聴している番組（着信拒否ジャンル）が２０：００に終了し、２０：００〜２１：００に視聴予約番組（着信可能ジャンル）が存在する場合である。この場合、２０：００以降にテレビ電話が可能である旨、通知される。ケース８は、現在視聴している番組（着信可能ジャンル）が２０：００に終了し、２０：００〜２１：００に視聴予約番組（着信拒否ジャンル）が存在する場合である。この場合、現在〜２０：００又は２１：００以降にテレビ電話が可能である旨、通知される。
【００６３】
<効果>
本実施形態のコンテンツ再生装置は、実施形態１などの効果に加え、視聴中のコンテンツの終了時間と視聴予約したコンテンツの開始時間及び終了時間の情報を用いて発信者に対して告知情報を送信することができ、視聴者の視聴スケジュールに沿った対応が可能になる。
【００６４】
<<実施形態４>>
【００６５】
<概要>
本実施形態のコンテンツ再生装置は、基本的に実施形態１と同様であるが、コンテンツの視聴中にコミュニケーション着信があると判断した場合に、コミュニケーション相手側の属性情報を用いてコミュニケーションを開始するか否かの決定結果を出力することを特徴とする。
【００６６】
<構成>
図２１は、本実施形態のコンテンツ再生装置の機能ブロックの一例を示す図である。この図にあるように、「コンテンツ再生装置」２１００は、「コミュニケーション部」２１０１と、「着信判断部」２１０２と、「決定結果取得部」２１０３と、「第一属性取得部」２１０４と、「第一告知部」２１０５と、「相手側属性取得部」２１０６と、「第二決定部」２１０７を有する。
【００６７】
「相手側属性取得部」は、着信判断部にて着信があると判断した場合に、コミュニケーション相手側の属性情報である相手側属性情報を取得する機能を有する。ここで、コミュニケーション相手側の属性情報としては、コミュニケーション相手の属性情報と、コミュニケーション相手が用いる端末の属性情報などが挙げられる。コミュニケーション相手の属性情報としては、コミュニケーション相手の名前、ニックネーム、設定カテゴリ（優先度や重要度など）、所属（会社名、クラブ名など）、年齢（年代も含む）、性別、着信者との関係（上司、親友など）、住所、コミュニケーションの履歴などが挙げられ得る。また、コミュニケーション相手が用いる端末の属性情報としては、端末のＩＤ、端末の種別（テレビ、パソコン、携帯など）、端末の機種名、ネットワーク上の位置（アドレスなど）、スペック（通信速度など）などが挙げられる。なお、相手側属性情報は、操作入力機器を介して操作入力により取得してもよいし、ネットワークを介してコミュニケーション相手の端末やサーバなどから取得してもよい。
【００６８】
「第二決定部」は、取得した相手側属性情報を用いてコミュニケーションを開始するか否かの決定結果を出力する機能を有する。例えば、コミュニケーション相手の設定カテゴリに応じてコミュニケーションを開始するか否かの決定結果を出力することが考えられる。この場合、利用者はコンテンツ再生装置などの設定画面を利用して、特定のコミュニケーション相手に対して視聴中に着信があった場合にコミュニケーションを開始するか否かの設定（相手側属性情報の入力）をしておくことが考えられる。図２２は、コンテンツ再生装置のコミュニケーション相手の設定カテゴリの設定画面の一例を示す図である。この図においては、利用者は「田中さん」と「伊藤さん」については「着信拒否しない、即通話を開始する」設定カテゴリＡを選択し、「西川さん」と「大久保さん」については「番組終了後に着信者から連絡する旨を通知する」カテゴリＢを選択し、「太田さん」については「番組終了後の連絡をお願いする旨を通知する」カテゴリＣを選択している。
【００６９】
また、コミュニケーション相手の設定カテゴリと、各ジャンルに対して定められるジャンル指数との組み合わせに基づいて、コミュニケーションを開始するか否かの決定結果を出力することも可能である。図２３は、コミュニケーション相手の設定カテゴリと、各ジャンルのジャンル指数に応じて決定される応対の内容の一例を示す図である。この図の例では、ジャンル指数が「高」のコンテンツについては、相手側区分「Ａ」のコミュニケーション相手に対して「即通話を開始する」決定を行い、相手側区分「Ｂ」のコミュニケーション相手に対しては「番組終了後の時間に折り返し電話する旨を通知する」決定を行い、相手側区分「Ｃ」のコミュニケーション相手に対しては「番組終了後の時間に再度の連絡をお願いする旨を通知する」決定を行う。同様に、ジャンル指数が「中」のコンテンツについては、相手側区分「Ａ」と「Ｂ」のコミュニケーション相手に対して「即通話を開始する」決定を行い、相手側区分「Ｃ」のコミュニケーション相手に対しては「番組終了後の時間に再度の連絡をお願いする旨を通知する」決定を行う。そして、ジャンル指数が「低」のコンテンツについては、相手側区分「Ａ」〜「Ｃ」のコミュニケーション相手に対して「即通話を開始する」決定を行う。なお、相手側区分が設定されていないコミュニケーション相手からの着信があった場合は、「告知情報を通知せずに、着信を無視する」決定を行ってもよいし、相手側区分「Ｃ」と同じ決定を行ってもよい。
【００７０】
図２４は、コミュニケーション相手の設定カテゴリと各ジャンルのジャンル指数に応じて、視聴予約されたコンテンツの開始時間や終了時間を考慮するか否か決定するためのテーブルの一例を示す図である。この図の例では、ジャンル指数が「高」のコンテンツについては、相手側区分「Ａ」のコミュニケーション相手に対して「視聴予約を無視する」決定を行い、相手側区分「Ｂ」、「Ｃ」のコミュニケーション相手に対しては「視聴予約を考慮する」決定を行う。同様に、ジャンル指数が「中」のコンテンツについては、相手側区分「Ａ」、「Ｂ」のコミュニケーション相手に対して「視聴予約を無視する」決定を行い、相手側区分「Ｃ」のコミュニケーション相手に対しては「視聴予約を考慮する」決定を行う。そして、ジャンル指数が「低」のコンテンツについては、相手側区分「Ａ」〜「Ｃ」のコミュニケーション相手に対して「視聴予約を無視する」決定を行う。なお、相手側区分が設定されていないコミュニケーション相手からの着信があった場合は、「視聴予約を考慮する」決定を行ってもよいし、相手側区分「Ｃ」と同じ決定を行ってもよい。
【００７１】
<処理の流れ>
図２５は、本実施形態のコンテンツ再生装置の処理の流れの一例を示す図である。以下に述べる処理は、コンテンツ再生装置にて所定のプログラムを実行することにより行われ、そのプログラムは記憶媒体に記憶することが可能である。まず、ステップＳ２５０１において、コンテンツの視聴中にコミュニケーション着信があるか判断する（着信判断ステップ）。ここで、コンテンツの視聴中に着信があるとの判断である場合は、ステップＳ２５０２に進む。ここで、着信がないとの判断である場合は、待機する。次に、ステップＳ２５０２において、コミュニケーション相手側の属性情報である相手側属性情報を取得する（相手側属性取得ステップ）。次に、ステップＳ２５０３において、取得した相手側属性情報を用いてコミュニケーションを開始するか否かの決定結果を出力する（第二決定ステップ）。次に、ステップＳ２５０４において、コミュニケーションを開始するか否かの決定結果を取得する（決定結果取得ステップ）。ここで、コミュニケーションを開始するとの決定結果を取得した場合は、ステップＳ２５０５Ａに進む。ここで、コミュニケーションを開始しないとの決定結果を取得した場合は、ステップＳ２５０５Ｂに進む。ステップＳ２５０５Ａにおいては、ネットワークを利用したコミュニケーションを開始する。ステップＳ２５０５Ｂにおいては、視聴中のコンテンツの終了時間を含む属性情報である第一属性情報を取得する（第一属性取得ステップ）。次に、ステップＳ２５０６Ｂにおいては、取得した第一属性情報を用いてコミュニケーション相手側に対して告知情報を送信する（第一告知ステップ）。なお、上記において、第一属性情報は、決定結果取得ステップの後に取得しているが、着信判断ステップの前や、第二決定ステップの直前に取得してもよい。
【００７２】
<具体例>
図２６は、図２５の具体例であり、テレビ電話機能付きのテレビ受像機の処理の流れを示す図である。まず、ステップＳ２６０１において、視聴開始の操作を受け付ける。次に、ステップＳ２６０２において、テレビ電話を着信したか否か判断する。ここで、テレビ電話の着信がある場合は、ステップＳ２６０３に進む。テレビ電話の着信がない場合は、待機する。次に、ステップＳ２６０３において、着信があった旨をテレビ画面に表示して利用者に通知する。次に、ステップＳ２６０４においては、発信者の情報を電子電話帳から取得する。次に、ステップＳ２６０５において、発信者の情報と、利用者の設定情報に基づいて、発信者が即通話を開始すべき対象に該当するか否か判断する。ここで、即通話を開始すべき対象に該当するとの判断である場合は、ステップＳ２６０６に進む。ここで、着信拒否のジャンルに該当しないとの判断である場合は、ステップＳ２６０７Ｂに進む。次に、ステップＳ２６０６において、着信に対する利用者の操作入力を受け付ける。ここで、着信拒否の操作入力を受け付けた場合は、着信を拒否して、ステップＳ２６０２に戻る。ここで、通話開始の操作入力を受け付けた場合は、ステップＳ２６０７Ａに進む。ここで、応答可能な時間を通知するための操作入力を受け付けた場合は、ステップＳ２６０７Ｂに進む。ステップＳ２６０７Ａにおいては、テレビ放送番組の入力からテレビ電話画面の入力に切り換え、ステップＳ２６０８Ａに進んでテレビ電話画面を表示する。ステップＳ２６０７Ｂにおいては、発信者がこちらから折り返し電話すべき対象に該当するか否か判断する。ここで、折り返し電話すべき対象に該当するとの判断である場合は、ステップＳ２６０８Ｂに進む。ここで、折り返し電話すべき対象に該当しないとの判断である場合は、ステップＳ２６０８Ｃに進む。ステップＳ２６０８Ｂにおいては、現番組の終了時間以降に折り返し電話をする旨を通知する。ステップＳ２６０８Ｃにおいては、現番組の終了時間以降に応答可能である（再度の連絡をお願いする）旨を通知する。
【００７３】
図２７は、図２６の処理の流れにおいて、着信に対する応対の一例を示す図である。まず、ケース９は、現在視聴している番組が「２０：００」に終了し、その後に視聴予約番組が存在しない場合である。この場合、相手側区分「Ａ」のコミュニケーション相手に対しては即通話を開始し、相手側区分「Ｂ」のコミュニケーション相手に対しては「２０：００以降」にこちらから折り返し電話する旨が通知され、相手側区分「Ｃ」のコミュニケーション相手に対しては「２０：００以降」に再度の電話をお願いする旨が通知される。ケース１０は、現在視聴している番組が「２０：００」に終了し、「２０：００〜２１：００」に視聴予約番組が存在する場合である。この場合も、相手側区分「Ａ」のコミュニケーション相手に対しては即通話を開始し、相手側区分「Ｂ」のコミュニケーション相手に対しては「２１：００以降」にこちらから折り返し電話する旨が通知され、相手側区分「Ｃ」のコミュニケーション相手に対しては「２１：００以降」に再度の電話をお願いする旨が通知される。
【００７４】
図２８は、相手側区分とコンテンツのジャンル指数を考慮した着信に対する応対の一例を示す図である。まず、ケース１１は、現在視聴している番組（ジャンル指数「高」）が「２０：００」に終了し、「２０：００〜２１：００」に視聴予約番組（ジャンル指数「中」）が存在する場合である。この場合、相手側区分「Ａ」のコミュニケーション相手に対しては即通話を開始し、相手側区分「Ｂ」のコミュニケーション相手に対してはジャンル指数が「高→中」になる「２０：００以降」に応対可能である旨が通知され、相手側区分「Ｃ」のコミュニケーション相手に対しては視聴予約されたコンテンツが終了する「２１：００以降」に応対可能である旨が通知される。ケース１２は、現在視聴している番組（ジャンル指数「中」）が「２０：００」に終了し、「２０：００〜２１：００」に視聴予約番組（ジャンル指数「高」）が存在する場合である。この場合、相手側区分「Ａ」のコミュニケーション相手に対しては即通話を開始し、相手側区分「Ｂ」のコミュニケーション相手に対してはジャンル指数が「中→高」になる「２０：００まで」又は視聴予約されたコンテンツが終了する「２１：００以降」に応対可能である旨が通知され、相手側区分「Ｃ」のコミュニケーション相手に対しては視聴予約されたコンテンツが終了する「２１：００以降」に応対可能である旨が通知される。
【００７５】
<効果>
本実施形態のコンテンツ再生装置は、実施形態１などの効果に加えて、コンテンツの視聴中にコミュニケーション着信があると判断した場合に、コミュニケーション相手側の属性情報を用いてコミュニケーションを開始するか否かの決定を行うことができ、コミュニケーション相手に応じて適切な対応を取ることが可能になる。
【符号の説明】
【００７６】
０１００・０９００・１４００・２１００…コンテンツ再生装置、０１０１・０９０１・１４０１・２１０１…コミュニケーション部、０１０２・０９０２・１４０２・２１０２…着信判断部、０１０３・０９０３・１４０３・２１０３…決定結果取得部、０１０４・０９０４・１４０４・２１０４…第一属性取得部、０１０５・０９０５・１４０５・２１０５…第一告知部、０９０６…第一決定部、１４０６…視聴予約受付部、１４０７…第二属性取得部、１４０８…第二告知部、２１０６…相手側属性取得部、２１０７…第二決定部、０６０１…処理演算装置、０６０２…ＲＡＭ、０６０３…長期記憶装置、０６０４…ネットワークＩ／Ｆ、０６０５…映像・音声デコーダ、０６０６…リモコンＩ／Ｆ、０６０７…カメラ、０６０８…カメラＩ／Ｆ、０６０９…マイク、０６１０…マイクＩ／Ｆ、０６１１…映像・音声エンコーダ、０６１２…ディスプレイ、０６１３…ディスプレイコントローラ、０６１４…チューナ、０６１５…放送デコーダ、０６１６…スピーカ、０６１７…出力アンプ、０６１８…システムバス
【図１】
0005887643.tif 000002
【図２】
0005887643.tif 000003
【図３】
0005887643.tif 000004
【図４】
0005887643.tif 000005
【図５】
0005887643.tif 000006
【図６】
0005887643.tif 000007
【図７】
0005887643.tif 000008
【図８】
0005887643.tif 000009
【図９】
0005887643.tif 000010
【図１０】
0005887643.tif 000011
【図１１】
0005887643.tif 000012
【図１２】
0005887643.tif 000013
【図１３】
0005887643.tif 000014
【図１４】
0005887643.tif 000015
【図１５】
0005887643.tif 000016
【図１６】
0005887643.tif 000017
【図１７】
0005887643.tif 000018
【図１８】
0005887643.tif 000019
【図１９】
0005887643.tif 000020
【図２０】
0005887643.tif 000021
【図２１】
0005887643.tif 000022
【図２２】
0005887643.tif 000023
【図２３】
0005887643.tif 000024
【図２４】
0005887643.tif 000025
【図２５】
0005887643.tif 000026
【図２６】
0005887643.tif 000027
【図２７】
0005887643.tif 000028
【図２８】
0005887643.tif 000029